(57)【要約】【課題】スキャン動作中に、一時的にスキップさせたい周波数やチャンネルを、簡単な操作で、一定期間だけスキップさせる機能を実現すること。【解決手段】本発明に係る受信機においては、一時的にスキャン対象から排除してスキップさせたい周波数もしくはチャンネルに係る情報を記憶させて登録する一時的スキップメモリと、前記一時的スキップメモリに登録された前記情報について、それぞれが登録されてからの経過時間をカウントし、所定の保持時間が経過した後に前記登録された情報を削除する計時カウンタと、スキャン動作時に入感している周波数もしくはチャンネルの内、一時的にスキップさせたい周波数もしくはチャンネルに係る情報を指定して前記一時的スキップメモリに記憶させて登録させる指定手段と、を備え、前記スキャンスキップ機能の動作中において、入感した周波数もしくはチャンネルに係る情報が前記一時的スキップメモリに登録されている場合には、当該周波数もしくはチャンネルをスキップするように制御する。【選択図】図１
2014116796.tif 000002
【特許請求の範囲】
【請求項１】
所定のスキャン対象を自動的にスキャンするスキャン機能を備えた受信機において、
スキャン対象から排除してスキップさせたい周波数もしくはチャンネルに係る情報を記憶させて登録するスキップメモリと、
前記スキップメモリに登録された前記情報について、それぞれが登録されてからの経過時間をカウントし、所定の保持時間が経過した後に前記登録された情報を削除して登録を解除する計時カウンタと、
スキャン動作時に入感している周波数もしくはチャンネルの内、一時的にスキップさせたい周波数もしくはチャンネルに係る情報を指定して前記スキップメモリに記憶させて登録させる指定手段と、を備え、
前記スキャン機能の動作中において、
入感した周波数もしくはチャンネルに係る情報が前記スキップメモリに登録されている場合には、当該周波数もしくはチャンネルをスキップするように前記スキャン機能を制御する制御手段を備えていることを特徴とする受信機。
【請求項２】
前記スキップメモリは、
常にスキャン対象から排除してスキップさせたい周波数もしくはチャンネルに係る情報を記憶させて登録する基本的スキップメモリと、一時的にスキャン対象から排除してスキップさせたい周波数もしくはチャンネルに係る情報を記憶させて登録する一時的スキップメモリとから構成され、
前記計時カウンタは、前記一時的スキップメモリに登録された前記情報について、それぞれが登録されてからの経過時間をカウントし、所定の保持時間が経過した後に前記登録された情報を削除してスキップ解除するように構成され、
前記指定手段は、スキャン動作時に入感している周波数もしくはチャンネルの内、一時的にスキップさせたい周波数もしくはチャンネルに係る情報を指定して前記一時的スキップメモリに記憶させて登録させるように構成され、
前記制御手段は、
前記スキャン機能の動作中において、
入感した周波数もしくはチャンネルに係る情報が、前記基本的スキップメモリもしくは前記一時的スキップメモリの何れか１方に登録されている場合には、当該周波数もしくはチャンネルを自動的にスキップしてスキャンするように前記スキャン機能を制御するように構成されていることを特徴とする請求項１に記載の受信機。
【請求項３】
前記制御手段は、
前記一時的スキップメモリの記憶容量を越えて、周波数もしくはチャンネルに係る情報が登録されようとした場合には、前記一時的スキップメモリに登録されてからの経過時間が長いものから順に削除することを特徴とする請求項２に記載の受信機。
【発明の詳細な説明】
【技術分野】
【０００１】
本発明は、受信機におけるスキャン機能に関するものである。
【背景技術】
【０００２】
受信機のスキャン機能は、あらかじめ設定された所定の周波数範囲やあらかじめメモリに設定された所定の複数チャンネルを順次受信する機能である。
このようなスキャン機能では、信号が入感していると、あらかじめ設定されたスキャンの一時停止条件やスキャン再開条件に応じて、毎回一時的にスキャンを停止したり、入感している信号が無くなるまで一時的にスキャンを停止したりする。
【０００３】
入感した周波数やチャンネルの信号を聞きたくないような場合には、スキャン機能でその周波数やチャンネルでスキャン動作が一時的に停止するたびに、次の周波数もしくはチャンネルに移行させるためにダイヤル操作等をおこなう必要があるため煩わしいという問題があった。
【０００４】
このように、特定の周波数や特定のチャンネルをスキャン対象から外して、スキャンをスキップさせて次の周波数や次のチャンネルを受信していくように動作させたい場合がある。
そのために、あらかじめスキップメモリに登録して指定した、特定の周波数や特定のチャンネルをスキップするスキャンスキップ機能を備えているものがある。
このようなスキャンスキップ機能は、例えば、受信不要な周波数やチャンネルをあらかじめスキップ対象として登録（スキップ登録）しておくと、スキャン動作中に前記周波数やチャンネルの信号を受信したとしても、スキップ対象に登録されているとスキャン動作を停止させずに、次の周波数やチャンネルにスキップしてスキャン動作を継続するように動作する機能である。（特許文献１参照）
【０００５】
スキャン機能には以下の各モードでのスキャンスキップ機能が含まれている。
ＶＦＯモードでのスキャン(プログラムスキャン)では、スキップするように指定された周波数はスキャン範囲から自動的に除外される。
メモリモードでのスキャン(メモリスキャン)では、スキップするように指定されたメモリチャンネルはスキャン対象から自動的に除外される。
デジタルレピータモードでのスキャンでは、指定されたレピータはスキャン対象から除外される。
【先行技術文献】
【特許文献】
【０００６】
【特許文献１】特開平７−１２２９７５号公報
【発明の概要】
【発明が解決しようとする課題】
【０００７】
以上のようなスキャンスキップ機能を備えることによって従来のスキャン機能は便利に使用できるようになった。
しかし、このようなスキャンスキップ機能によれば、スキップ登録を解除する所定の操作を行うまでは、スキップ登録された周波数やチャンネルは常にスキップされるので、再度スキャン対象としたい場合には解除しなければならないという問題が発生する。スキップ登録を解除する操作は煩わしく、また、スキップ登録を解除し忘れると常にスキップされ続けるので、あたかもその周波数もしくはチャンネルに受信可能な信号が無いように誤解してしまうという問題がある。
【０００８】
本発明は、スキャン動作中に、一時的にスキップさせたい周波数やチャンネルを、簡単な操作で、一定期間だけスキップさせる機能を実現することを目的としてなされたものである。
【課題を解決するための手段】
【０００９】
本発明に係る請求項１の受信機は、
所定のスキャン対象を自動的にスキャンするスキャン機能を備えた受信機において、
スキャン対象から排除してスキップさせたい周波数もしくはチャンネルに係る情報を記憶させて登録するスキップメモリと、
前記スキップメモリに登録された前記情報について、それぞれが登録されてからの経過時間をカウントし、所定の保持時間が経過した後に前記登録された情報を削除して登録を解除する計時カウンタと、
スキャン動作時に入感している周波数もしくはチャンネルの内、一時的にスキップさせたい周波数もしくはチャンネルに係る情報を指定して前記スキップメモリに記憶させて登録させる指定手段と、を備え、
前記スキャン機能の動作中において、
入感した周波数もしくはチャンネルに係る情報が前記スキップメモリに登録されている場合には、当該周波数もしくはチャンネルをスキップするように前記スキャン機能を制御する制御手段を備えていることを特徴としている。
請求項２では、
前記スキップメモリは、
常にスキャン対象から排除してスキップさせたい周波数もしくはチャンネルに係る情報を記憶させて登録する基本的スキップメモリと、一時的にスキャン対象から排除してスキップさせたい周波数もしくはチャンネルに係る情報を記憶させて登録する一時的スキップメモリとから構成され、
前記計時カウンタは、前記一時的スキップメモリに登録された前記情報について、それぞれが登録されてからの経過時間をカウントし、所定の保持時間が経過した後に前記登録された情報を削除してスキップ解除するように構成され、
前記指定手段は、スキャン動作時に入感している周波数もしくはチャンネルの内、一時的にスキップさせたい周波数もしくはチャンネルに係る情報を指定して前記一時的スキップメモリに記憶させて登録させるように構成され、
前記制御手段は、
前記スキャン機能の動作中において、
入感した周波数もしくはチャンネルに係る情報が、前記基本的スキップメモリもしくは前記一時的スキップメモリの何れか１方に登録されている場合には、当該周波数もしくはチャンネルを自動的にスキップしてスキャンするように前記スキャン機能を制御するように構成されている。
請求項３では、
前記制御手段は、
前記一時的スキップメモリの記憶容量を越えて、周波数もしくはチャンネルに係る情報が登録されようとした場合には、前記一時的スキップメモリに登録されてからの経過時間が長いものから順に削除するように構成されている。
【発明の効果】
【００１０】
本発明によれば、スキャン動作中に、一時的にスキップさせたい周波数やチャンネルを、簡単な操作で一定期間だけスキップさせることができる。さらに、一定期間が経過した後は自動的にスキップ対象としての登録を解除しスキャン対象に戻すことにより、スキップ登録の解除を意識する必要もなく、また、スキップ登録の解除をし忘れることを防止できるという効果が得られる。
【図面の簡単な説明】
【００１１】
【図１】本発明に係る受信機のブロック図である。
【図２】前記受信機におけるスキャンスキップ機能を説明するフローチャートである。
【図３】前記受信機における一時的スキップ登録処理を説明するフローチャートである。
【図４】前記受信機における計時処理を説明するフローチャートである。
【発明を実施するための形態】
【００１２】
以下に本発明にかかる受信機を、実施例１のブロック図を示した図１、フローチャートを示した図２、３、４を参照して詳細に説明する。
【実施例１】
【００１３】
本発明に係るスキャン機能を備えた受信機の構成を示した図１において、
１は前記受信機であり、受信部２、低周波処理部３、周波数生成部４、制御部５、および操作部６を備えている。
前記受信部２は、後述する周波数生成部４によって指定される周波数の信号を受信して、増幅および復調する機能を備えている。
前記低周波処理部３は、復調された受信信号を低周波増幅する増幅回路や、音声出力するスピーカ等を備えている。
前記周波数生成部４は、前記受信部２において受信すべき信号の周波数を、後述する制御部５からの制御信号によって生成し、前記受信部２に入力させるように構成されている。
前記制御部５は、ＣＰＵやメモリ５１等の記憶手段等を備え、前記受信機１の各部を系統的に制御するように構成されている。
前記操作部６は、操作ダイヤル、入力スイッチ、およびタッチパネル機能を有した表示パネル等を備えており、前記制御部５を介して前記受信機１の各部の動作を指定する操作情報を入力するとともに、前記制御部５を介して前記受信機１の各部の動作状況（周波数や信号強度等のステータス情報等。）を表示するように構成されている。
【００１４】
前記メモリ５１には、基本スキップメモリ５１１、および一時的スキップメモリ５１２等の各種情報のメモリ領域が含まれている。前記メモリ５１は、フラッシュメモリ等の不揮発性メモリと、ＲＡＭ等の揮発性メモリが用いられている。
前記基本スキップメモリ５１１には、常時スキップする周波数、メモリチャンネルが書き込まれている。当該受信機１の電源をＯＦＦにしても保持されているように、不揮発性メモリに記憶される。
前記一時的スキップメモリ５１２には、一時的にスキップする周波数、メモリチャンネルが随時書き込まれ、書き込まれた後、所定の保持時間が経過した後に削除される。当該受信機１の電源をＯＦＦにした場合には保持されない。
【００１５】
前記制御部５には、複数の経過時間を個別に計時可能な計時カウンタ５２が備えられている。
前記計時カウンタ５２は、一時的スキップメモリ５１２に書き込まれてからの経過時間を計時して、所定の保持時間が経過したときに前記一時的スキップメモリ５１２から削除する。
【００１６】
以上の構成の受信機１におけるスキャン機能を、図２に示したフローチャートを参照して説明する。
まずはじめに、前記操作部６において所定の操作を行ってスキャン機能を作動させると、
ステップＳ１において、初期化処理を行ってから、スキャン範囲のはじめの周波数もしくはチャンネルから受信を開始する。前記初期化処理においては、前記一時的スキップメモリ５１２および前記計時カウンタ５２を全てクリア（記憶無しの状態）する。
ステップＳ２では、基本スキップメモリを参照して、基本スキップメモリに登録されているか否かをチェックし、登録されていれば、スキップしてステップＳ１０へ進んでスキャンを進め、登録されていなければ、ステップＳ３へ進む。
ステップＳ３では、一時的スキップメモリを参照して、一時的スキップメモリに登録されているか否かをチェックし、登録されていれば、スキップしてステップＳ１０へ進んでスキャンを進め、登録されていなければ、ステップＳ４へ進む。
【００１７】
ステップＳ４では、前記受信部２の中間周波信号やステータス情報等を監視して、何らかの有為な信号が受信されている（入感有り）か否（入感無し）かをチェックする。
入感無しの場合には、ステップＳ１０へ進んで、前記周波数生成部４を制御して、スキャン範囲の中で次に受信すべき周波数もしくはチャンネルを、前記受信部２に設定し、ステップＳ２に戻る。
入感有りの場合には、ステップＳ５へ進む。
【００１８】
ステップＳ５では、スキャン動作を一時停止して、復調した低周波信号をスピーカから出力する。
ステップＳ６では、入感した周波数もしくはチャンネルを一時的スキップメモリに登録するための所定の操作が行われたか否かをチェックし、行われた場合にはステップＳ７へ進んで、一時的スキップ登録処理を行う。
前記所定の操作が行われなかった場合にはステップＳ８へ進む。
ステップＳ８では、一定の停止時間の経過までステップＳ６に戻って繰り返し、一定の停止時間が経過した後はステップＳ９へ進む。
【００１９】
ステップＳ９では、スキャンの一時停止を終了し、前記ステップＳ１０へ進んで、次の周波数もしくはチャンネルへ移行して、前記ステップＳ２からの動作を繰り返す。
ステップＳ１０では、スキャン範囲の最後までスキャンした場合には、スキャン範囲のはじめの周波数もしくはチャンネルから再びスキャンを行う。
【００２０】
図３の一時的スキップメモリへの登録処理
前記ステップＳ７を、図３のフローチャートを参照してより詳細に説明する。
図３に示したように、ステップＳ７１では、
一時的スキップメモリへの書き込み登録処理を行うとともに、ステップＳ７２では、登録した周波数もしくはチャンネルに係る情報に対応させた計時カウンタによる計時を開始させ、図２のフローチャートのステップＳ９へ進む。
【００２１】
前記ステップＳ７２で計時開始された後の計時処理を、図４のフローチャートを参照して説明する。
ステップＳ７１１では、登録した周波数もしくはチャンネルに係る情報に対応させた計時カウンタによる計時を開始し、
ステップＳ７１２では、前記対応させた計時カウンタにおいて所定の保持時間が経過するまで、計時処理を継続し、
ステップＳ７１３では、所定の保持時間が経過した後には、前記対応させた計時カウンタによる計時処理を終了させるとともに、前記一時的スキップメモリから前記登録した周波数もしくはチャンネルに係る情報を削除し、かかる登録が無かった状態にして、終了する。
図４のフローチャートは、図２のフローチャートの進行と同時に並行して進行する。
【００２２】
表１には、一時的スキップメモリと計時カウンタの例を示した。
【表１】
2014116796.tif 000003
【００２３】
前記一時的スキップメモリへの記憶処理は、例えば以下の通りである。
信号入感によるスキャン動作が一時停止している間に、所定の操作がされると、ＶＦＯによるプログラムスキャンであれば、一時停止中の前記入感した周波数を、前記一時的スキップメモリに記憶させると同時に、該当する計時カウンタをクリアして、スキャンを次の周波数に進める。
また、メモリモードにおけるスキャン中であれば、一時停止中の前記入感したチャンネル番号を、前記一時的スキップメモリに記憶させると同時に、該当する計時カウンタをクリアして、スキャンを次のメモリチャンネルに進める。
VFOモードでは、一時的スキップメモリへの書き込み登録処理は、表１のＮｏ．１からＮｏ．２、Ｎｏ．３、・・・・と順に書き込み登録する。表１の例では、９０秒前に433.200を書き込み、１０秒前に433.260を書き込み登録した例を示している。
上記書き込み登録の時点で、全ての一時的スキップメモリが既に書き込まれている場合には、最も古いＮｏ．１の登録内容を削除し、Ｎｏ．２〜Ｎｏ．５の情報を計時カウンタのカウンタ値を、Ｎｏ．１〜Ｎｏ．４にシフトさせ、空いたＮｏ．５に書き込み登録する。
【００２４】
前記計時処理は例えば以下のように処理する。
一定時間ごと（例えば１秒ごと）に、前記一時的スキップメモリの計時カウンタのカウント値をインクリメントさせる。
したがって、表１の状態から例えば３秒経過した時点では、Ｎｏ．１が９３秒、Ｎｏ．２が１３秒となる。
予め設定した所定の保持時間（例えば、５分、１０分、１５分の何れかを選択可能。）が経過すると、時間が経過した最も古いメモリ（この場合はＮｏ．１）の情報を削除し、Ｎｏ．２以降の情報をＮｏ．１以降にシフトさせる。
【００２５】
スキャンスキップ処理の説明
ＶＦＯモードでのスキャンスキップ処理では、
基本スキップメモリに登録された周波数情報に対応した周波数をスキップする従来の動作に加えて、前記一時的スキップメモリに登録された周波数情報に対応した周波数もスキップする。
メモリモードでのスキャンスキップ処理では、
基本スキップメモリに登録されたチャンネル情報に対応したチャンネルをスキップする従来の動作に加えて、前記一時的スキップメモリに登録されたチャンネル番号と一致するチャンネルもスキップする。
デジタルレピータモードでのスキャンスキップ処理では、
基本スキップメモリに登録されたレピータ情報に対応したレピータをスキップする従来の動作に加えて、前記一時的スキップメモリに登録されたチャンネルがと一致するレピータもスキップする。
【００２６】
以上のようにして、前記受信機によれば、スキャン動作中に、一時的にスキップさせたい周波数やチャンネルを、簡単な操作で一定期間だけスキップさせることができる。一定期間が経過した後は自動的にスキップ登録を解除しスキャン対象に戻すことにより、スキップ登録の解除を意識する必要もなく、また、スキップ登録の解除をし忘れることを防止できるという効果が得られる。
【符号の説明】
【００２７】
１  記受信機
２  受信部
３  低周波処理部
４  周波数生成部
５  制御部
５１  メモリ
５１１  基本スキップメモリ５１１
５１２  一時的スキップメモリ５１２
５２  計時カウンタ５２
６  操作部
【図１】
2014116796.tif 000004
【図２】
2014116796.tif 000005
【図３】
2014116796.tif 000006
【図４】
2014116796.tif 000007